(57)【要約】【課題】非接触送電システムにおいて送電機器と受電機器がサポートする最大電力の不整合を解決する。【解決手段】受電機器が非接触で電力を送電機器から受電するための方法および装置である。受電機器と送電機器の両方に既知の既定の電力容量に基づいて、電力容量が受電機器側で構成される。依存パラメータの第１の値が読み取られる。当該依存パラメータは電力に関連し、送電機器によって調節可能な独立パラメータに従って変化する。次いで依存パラメータの第２の値が読み取られる。送電機器の最大電力容量が、少なくとも第１の値、第２の値、および所定の閾値に基づいて特定される。次いで電力が送電機器から受電される。【選択図】図１
2014093940.tif 000002
【特許請求の範囲】
【請求項１】
受電機器が非接触で電力を送電機器から受電するための方法であって、
前記受電機器側で、前記受電機器と前記送電機器の両方に既知の既定の電力容量に基づいて電力容量を構成するステップと、
前記電力に関連する依存パラメータの第１の値を読み取るステップであって、前記依存パラメータが、前記送電機器により調節可能な独立パラメータに従って変化するステップと、
前記依存パラメータの第２の値を読み取るステップと、
前記送電機器の最大電力容量を少なくとも前記第１の値、前記第２の値、および所定の  閾値に基づいて特定するステップと、
前記電力を前記送電機器から受電するステップと、
を含む、方法。
【請求項２】
前記依存パラメータは電圧、電流、および電力のうち少なくとも１つである、請求項１に記載の方法。
【請求項３】
前記独立パラメータは電圧、周波数、およびデューティ・サイクルのうち少なくとも１つである、請求項１に記載の方法。
【請求項４】
前記第１の値を読み取った後に調節用の専用パケットを前記送電機器に送信するステップと、
前記第２の値を読み取る前に或る期間だけ遅延するステップと、
をさらに含む、請求項１に記載の方法。
【請求項５】
前記調節用の専用パケットを受信すると、前記送電機器により前記専用パケットの内容に基づいて前記期間において前記独立パラメータを調節するステップをさらに含む、請求項４に記載の方法。
【請求項６】
前記送電機器の最大電力容量を特定するステップは、
関数の出力を計算するステップであって、前記関数は少なくとも前記第１の値および前記第２の値から成る入力を有するステップと、
前記出力を前記所定の閾値と比較するステップと、
少なくとも前記比較の結果に基づいて前記送電機器の前記最大電力容量を決定するステップと、
をさらに含む、請求項１に記載の方法。
【請求項７】
前記送電機器の前記最大電力容量を特定すると、前記最大電力容量を前記既定の電力容量と比較するステップと、
前記最大電力容量が前記既定の電力容量より大きい場合に、前記受電機器の電力容量を前記最大電力容量に基づいて構成するステップと、
前記最大電力容量が前記既定の電力容量より大きい場合に、確認用の専用パケットと誤り制御用の専用パケットを前記送電機器に送信するステップと、
をさらに含む、請求項１に記載の方法。
【請求項８】
前記確認用の専用パケットが受信された場合に、前記送電機器により前記最大電力容量に基づいて電力容量を構成するステップと、
前記確認用の専用パケットが受信されない場合に、前記送電機器により前記既定の電力容量に基づいて電力容量を構成するステップと、
前記送電機器により、構成した前記電力容量で前記電力を前記受電機器に非接触で送電するステップと、
前記誤り制御用の専用パケットが受信された場合に、前記送電機器により前記誤り制御用の専用パケットを分析するステップと、
をさらに含む、請求項７に記載の方法。
【請求項９】
前記送電機器に前記受電機器の最大電力容量を通知するための専用パケットを前記送電機器に送信するステップをさらに含む、請求項１に記載の方法。
【請求項１０】
受電機器を備えた装置であって、前記受電機器は、
非接触で電力を送電機器から受電するように構成された受電ユニットと、
受電ユニットに動作可能に接続され、前記受電機器と前記送電機器の両方に既知の既定の電力容量に基づいて電力容量を構成するように構成された構成ユニットと、
受電ユニットに動作可能に接続され、
前記電力に関連する依存パラメータの第１の値を読み取り、
前記依存パラメータの第２の値を読み取る
ように構成された読取りユニットであって、前記依存パラメータが前記送電機器により調整可能な独立パラメータに従って変化する読取りユニットと、
前記構成ユニットと前記読取りユニットに動作可能に接続され、前記送電機器の最大電力容量を少なくとも前記第１の値、前記第２の値、および所定の閾値に基づいて特定するように構成された特定ユニットと、
を備える、装置。
【請求項１１】
前記依存パラメータは電圧、電流、および電力のうち少なくとも１つである、請求項１０に記載の装置。
【請求項１２】
前記独立パラメータは電圧、周波数、およびデューティ・サイクルのうち少なくとも１つである、請求項１０に記載の装置。
【請求項１３】
前記構成ユニットおよび前記受電ユニットに動作可能に接続され、前記第１の値を読み取った後に調節用の専用パケットを前記送電機器に送信するように構成された通信ユニットと、
前記読取りユニットおよび前記通信ユニットに動作可能に接続され、前記読取りユニットが前記第２の値を読み取る前に或る期間だけ遅延するように構成されたタイマと、
をさらに備える、請求項１０に記載の装置。
【請求項１４】
前記特定ユニットは、
関数の出力を計算するように構成されたプロセッサであって、前記関数は少なくとも前記第１の値および前記第２の値から成る入力を有するプロセッサと、
前記出力を前記所定の閾値と比較するように構成された比較ユニットと、
少なくとも前記比較ユニットの結果に基づいて前記送電機器の前記最大電力容量を決定するように構成された決定ユニットと、
をさらに備える、請求項１０に記載の装置。
【請求項１５】
前記最大電力容量が前記特定ユニットにより特定されると、前記送電機器の前記最大電力容量を前記既定の電力容量と比較するように構成された比較ユニットと、
前記最大電力容量が前記既定の電力容量より大きい場合に、確認用の専用パケットと誤り制御用の専用パケットを前記送電機器に送信するように構成された通信ユニットと、
をさらに備え、
前記構成ユニットはさらに、前記最大電力容量が前記既定の電力容量より大きい場合に、前記受電機器の電力容量を前記最大電力容量に基づいて構成するように構成される、請求項１０に記載の装置。
【請求項１６】
前記送電機器に前記受電機器の最大電力容量を通知するための専用パケットを前記送電機器に送信するように構成された通信ユニットをさらに備える、請求項１０に記載の装置。
【請求項１７】
非接触で電力を送電機器から受電するように構成された受電ユニットと、
前記受電ユニットに動作可能に接続され、受電機器と前記送電機器の両方に既知の既定の電力容量に基づいて電力容量を構成するように構成された構成ユニットと、
前記受電ユニットに動作可能に接続され、
前記電力に関連する依存パラメータの第１の値を読み取り、
前記依存パラメータの第２の値を読み取る
ように構成された読取りユニットであって、前記依存パラメータが前記送電機器により調整可能な独立パラメータに従って変化する読取りユニットと、
前記構成ユニットと前記読取りユニットに動作可能に接続され、前記送電機器の最大電力容量を少なくとも前記第１の値、前記第２の値、および所定の閾値に基づいて特定するように構成された特定ユニットと、
を備えた前記受電機器と、
非接触で前記電力を前記受電機器に送信するように構成された送電ユニットを備えた送電機器と、
を備える、非接触受電のためのシステム。
【請求項１８】
前記依存パラメータは電圧、電流、および電力のうち少なくとも１つである、請求項１７に記載のシステム。
【請求項１９】
前記独立パラメータは電圧、周波数、およびデューティ・サイクルのうち少なくとも１つである、請求項１７に記載のシステム。
【請求項２０】
前記受電機器は、
前記構成ユニットおよび前記受電ユニットに動作可能に接続され、前記読取りユニットが前記第１の値を読み取った後に調節用の専用パケットを前記送電機器に送信するように構成された通信ユニットと、
前記読取りユニットおよび前記通信ユニットに動作可能に接続され、前記読取りユニットが前記第２の値を読み取る前に或る期間だけ遅延するように構成されたタイマと、
をさらに備える、請求項１７に記載のシステム。
【請求項２１】
前記送電機器は、
前記送電ユニットに動作可能に接続され、前記調節用の専用パケットを受信するように構成された通信ユニットと、
前記送電ユニットと前記通信ユニットに動作可能に接続され、前記調節用の専用パケットを受信すると、前記調整用の専用パケットの内容に基づいて前記期間において前記独立パラメータを調節するように構成された制御ユニットと、
をさらに備える、請求項２０に記載のシステム。
【請求項２２】
前記特定ユニットは、
関数の出力を計算するように構成されたプロセッサであって、前記関数は少なくとも前記第１の値および前記第２の値から成る入力を有するプロセッサと、
前記出力を前記所定の閾値と比較するように構成された比較ユニットと、
少なくとも前記比較ユニットの結果に基づいて前記送電機器の前記最大電力容量を決定するように構成された決定ユニットと、
をさらに備える、請求項１７に記載のシステム。
【請求項２３】
前記受電機器は、
前記送電機器の前記最大電力容量が前記特定ユニットにより特定されると、前記送電機器の前記最大電力容量を前記既定の電力容量と比較するように構成された比較ユニットと、
前記最大電力容量が前記既定の電力容量より大きい場合に、確認用の専用パケットと誤り制御用の専用パケットを前記送電機器に送信するように構成された通信ユニットと、
をさらに備え、
前記構成ユニットはさらに、前記最大電力容量が前記既定の電力容量より大きい場合に、前記受電機器の電力容量を前記最大電力容量に基づいて構成するように構成される、請求項１７に記載のシステム。
【請求項２４】
前記送電機器は、
前記確認用の専用パケットが受信された場合に、前記最大電力容量に基づいて電力容量を構成し、
前記確認用の専用パケットが受信されない場合に、前記既定の電力容量に基づいて電力容量を構成する、
ように構成された構成ユニットと、
前記誤り制御用の専用パケットが受信された場合に、前記誤り制御用の専用パケットを分析するように構成された分析ユニットと、
をさらに備える、請求項２３に記載のシステム。
【請求項２５】
前記受電機器は、前記送電機器に前記受電機器の最大電力容量を通知するための専用パケットを前記送電機器に送信するように構成された通信ユニットをさらに備える、請求項１７に記載のシステム。
【請求項２６】
受電機器が非接触で電力を送電機器から受電するための情報を記録した機械読取可能な有形かつ非一時的な媒体であって、前記情報は機械により読み取られたときに前記機械に、
前記受電機器側で、前記受電機器と前記送電機器の両方に既知の既定の電力容量に基づいて電力容量を構成するステップと、
前記受電機器により、前記電力に関連する依存パラメータの第１の値を読み取るステップであって、前記依存パラメータが、前記送電機器により調節可能な独立パラメータに従って変化するステップと、
前記受電機器により、前記依存パラメータの第２の値を読み取るステップと、
前記受電機器により、前記送電機器の最大電力容量を少なくとも前記第１の値、前記第２の値、および所定の閾値に基づいて特定するステップと、
前記受電機器により、前記電力を前記送電機器から受電するステップと、
を実施させる、媒体。
【請求項２７】
受電機器が非接触で電力を送電機器から受電するための方法であって、
前記送電機器側で、前記受電機器と前記送電機器の両方に既知の既定の電力容量に基づいて電力容量を構成するステップと、
前記電力を前記受電機器に送信するステップであって、前記受電機器が、前記電力に関連する依存パラメータの第１の値と第２の値を読み取り、前記送電機器の最大電力容量を少なくとも前記第１の値、前記第２の値、および所定の閾値に基づいて特定し、前記依存パラメータが、前記送電機器によって調節可能な独立パラメータに従って変化する、ステップと、
を含む、方法。
【請求項２８】
前記受電機器により送信された調節用の専用パケットの内容に基づいて前記独立パラメータを調節するステップと、
確認用の専用パケットが受信された場合に、前記最大電力容量に基づいて電力容量を構成するステップと、
前記確認用の専用パケットが受信されない場合に、前記既定の電力容量に基づいて電力容量を構成するステップと、
構成した前記電力容量で前記電力を前記受電機器に非接触で送電するステップと、
前記誤り制御用の専用パケットが受信された場合に、誤り制御用の専用パケットを分析するステップと、
をさらに含む、請求項２７に記載の方法。
【請求項２９】
送電機器を備えた装置であって、前記送電機器が、
受電機器と前記送電機器の両方に既知の既定の電力容量に基づいて電力容量を構成するように構成された構成ユニットと、
前記構成ユニットに動作可能に接続され電力を前記受電機器に送電するように構成された送電ユニットであって、前記受電機器が、前記電力に関連する依存パラメータの第１の値と第２の値を読み取り、前記送電機器の最大電力容量を少なくとも前記第１の値、前記第２の値、および所定の閾値に基づいて特定し、前記依存パラメータが、前記送電機器によって調節可能な独立パラメータに従って変化する、送電ユニットと、
を備える、装置。
【発明の詳細な説明】
【技術分野】
【０００１】
本発明は一般に、非接触受電（ｗｉｒｅｌｅｓｓｌｙ  ｒｅｃｅｉｖｉｎｇ  ｐｏｗｅｒ）のための方法と装置に関する。
【背景技術】
【０００２】
非接触送電とは、人工の導体を相互接続することなく電気エネルギを電源から電気負荷に送電することをいう。非接触送電の最も一般的な形態は、直接誘導の後に磁気共鳴誘導を実施することである。他の方法には、マイクロ波またはレーザおよび電気伝導の形の電磁放射がある。非接触送電は、携帯電話、カメラ、音楽プレーヤ、ヘッドセット、等のような広範囲のモバイル機器におけるバッテリ充電または他の適切な負荷に対して使用されている。
【０００３】
非接触送電システムでは、受電機器（受電器）が例えば電力信号に対する負荷変調により制御情報を送電機器（送電器）に送信することができる。受信した制御情報に基づいて、送電機器は送電された電力に関連する一定のパラメータ、例えば周波数を所望のレベルに調節して受電機器に接続された負荷を駆動することができる。ＱＩ通信規格（Ｗｉｒｅｌｅｓｓ  Ｐｏｗｅｒ  Ｃｏｎｓｏｒｔｉｕｍ）のような既知の標準により、送電に用いる同一の磁気結合を介してどのように受電機器および送電機器が自己の電力需要を互いに対して伝えるかが定義される。例えば、最新のＱＩ通信規格でサポートされているように、受電機器と送電機器の間の初期通信を１７５ｋＨｚの既定のパルス幅変調（ＰＷＭ）周波数で確立した後、送電機器は５Ｗまでの出力電力で電力を受電機器に送電する。
【発明の概要】
【発明が解決しようとする課題】
【０００４】
しかし、送電機器および受電機器の中には５Ｗより高い出力電力をサポートできるものもあるので、非接触送電システムにおいて送電機器と受電機器がサポートする最大電力の不整合が存在しうる。さらに、送電機器と受電機器の両方がそれらの最大サポート電力と無関係に最大５Ｗで動作する場合には、送電機器と受電機器が例えば１０Ｗのより高い電力をサポートできるので、資源が無駄になるかまたは効率が損なわれるおそれがある。
【０００５】
したがって、上述の課題を解決するための非接触送電に関する解決策が必要である。
【課題を解決するための手段】
【０００６】
本発明では、非接触受電に関する方法、装置、およびプログラミングを説明する。
【０００７】
１例では、受電機器が送電機器から電力を非接触で受電するための方法を提供する。受電機器と送電機器の両方に既知な既定の電力容量に基づいて、電力容量が受電機器側で構成される。依存パラメータの第１の値が読み取られる。当該依存パラメータは、電力に関連付けられ、送電機器が調節可能な独立パラメータに従って変化する。次に、依存パラメータの第２の値を読み取る。送電機器の最大電力容量を少なくとも第１の値、第２の値、および所定の閾値に基づいて特定する。次いで、電力を送電機器から受電する。
【０００８】
別の例では、受電機器を備えた装置を提供する。当該受電機器は受電ユニット、構成ユニット、読取りユニット、および特定ユニットを備える。受電ユニットは、非接触で電力を送電機器から受電するように構成される。構成ユニットは、受電ユニットに動作可能に接続され、受電機器と送電機器の両方に既知な既定の電力容量に基づいて電力容量を構成するように構成される。読取りユニットは、受電ユニットに動作可能に接続され、依存パラメータの第１の値と第２の値を読み取るように構成される。依存パラメータは、電力に関連付けられ、送電機器が調節可能な独立パラメータに従って変化する。特定ユニットは、構成ユニットと読取りユニットに動作可能に接続され、少なくとも第１の値、第２の値、および所定の閾値に基づいて送電機器の最大電力容量を特定するように構成される。
【０００９】
さらに別の例では、非接触受電のためのシステムを提供する。当該システムは、受電機器と送電機器を備える。受電機器は、受電ユニット、構成ユニット、読取りユニット、および特定ユニットを備える。受電ユニットは、非接触で電力を送電機器から受電するように構成される。構成ユニットは、受電ユニットに動作可能に接続され、受電機器と送電機器の両方に既知な既定の電力容量に基づいて電力容量を構成するように構成される。読取りユニットは、受電ユニットに動作可能に接続され、依存パラメータの第１の値と第２の値を読み取るように構成される。依存パラメータは、電力に関連付けられ、送電機器が調節可能な独立パラメータに従って変化する。特定ユニットは、構成ユニットと読取りユニットに動作可能に接続され、少なくとも第１の値、第２の値、および所定の閾値に基づいて送電機器の最大電力容量を特定するように構成される。送電機器は、非接触で電力を受電機器に送電するように構成された送電ユニットを備える。
【００１０】
さらに別の例では、受電機器が非接触で電力を送電機器から受電するための情報を有する機械読取可能な非一時媒体であって、当該情報は機械により読み取ったときに当該機械に一連のステップを実施させる、機械読取可能な非一時媒体を提供する。受電機器と送電機器の両方に既知な既定の電力容量に基づいて、電力容量が受電機器側で構成される。依存パラメータの第１の値が読み取られる。当該依存パラメータは、電力に関連付けられ、送電機器が調節可能な独立パラメータに従って変化する。次に、依存パラメータの第２の値を読み取る。送電機器の最大電力容量を少なくとも第１の値、第２の値、および所定の閾値に基づいて特定する。次いで、電力を送電機器から受電する。
【００１１】
さらに別の例では、受電機器が非接触で電力を送電機器から受電するための方法を提供する。受電機器と送電機器の両方に既知な既定の電力容量に基づいて、電力容量が送電機器側で構成される。次いで電力が受電機器に送電される。受電機器は、当該電力に関連する依存パラメータの第１の値と第２の値を読み取り、少なくとも第１の値、第２の値、および所定の閾値に基づいて送電機器の最大電力容量を特定する。依存パラメータは、送電機器が調節可能な独立パラメータに従って変化する。
【００１２】
さらに別の例では、送電機器を備えた装置を提供する。送電機器は、構成ユニットおよび送電ユニットを備える。構成ユニットは、受電機器と送電機器の両方に既知な既定の電力容量に基づいて電力容量を構成するように構成される。送電ユニットは、構成ユニットに動作可能に接続され、電力を受電機器に送電するように構成される。受電機器は、電力に関連する依存パラメータの第１の値と第２の値を読み取り、少なくとも第１の値、第２の値、および所定の閾値に基づいて送電機器の最大電力容量を特定する。依存パラメータは、送電機器が調節可能な独立パラメータに従って変化する。
【００１３】
上記諸態様は、以下の図面とともに下記の説明を考慮すればより容易に理解される。図面では、同様な参照番号は同様な要素を表す。
【図面の簡単な説明】
【００１４】
【図１】本発明の１実施形態に従う、送電機器および受電機器を備えた非接触送電のシステムの１例を示すブロック図である。
【図２】本発明の１実施形態に従う図１の受電機器の１例を示すブロック図である。
【図３】本発明の１実施形態に従う図１の送電機器の１例を示すブロック図である。
【図４】本発明の１実施形態に従う非接触送電の１例を示すタイムライン・チャートである。
【図５】本発明の１実施形態に従う非接触送電の別の例を示すタイムライン・チャートである。
【図６】本発明の１実施形態に従う非接触送電の方法の１例を示す流れ図である。
【図７】本発明の１実施形態に従う非接触送電の方法の別の例を示す流れ図である。
【図８】本発明の１実施形態に従う非接触送電の方法のさらに別の例を示す流れ図である。
【図９】本発明の１実施形態に従う、プロセッサおよびメモリを備えた、図２の受電機器における特定ユニットの１例を示すブロック図である。
【図１０】本発明の１実施形態に従う非接触送電の様々なパケットの例示的なリストを示す表の図である。
【発明を実施するための形態】
【００１５】
次に、本発明の諸実施形態を詳細に説明する。当該諸実施形態の例が添付図面に示されている。本発明を当該諸実施形態と関連して説明するが、当該諸実施形態は本発明をこれらの諸実施形態に限定しようとするものではない。むしろ、本発明は代替物、修正物、および均等物を包含しようとするものであり、これらは添付の特許請求の範囲により定義される本発明の趣旨と範囲に含まれる。
【００１６】
さらに、以下の本発明の諸実施形態の詳細な説明では、本発明の徹底的な理解を与えるために多数の具体的な詳細を説明する。しかし、これらの具体的な詳細なしに本発明を実施できることは当業者には理解される。他の事例では、本発明の諸実施形態の諸態様を不必要に不明瞭にさせないために、周知の方法、手続き、構成要素、および回路は詳細には説明していない。
【００１７】
本発明に従う様々な実施形態では、非接触送電における最大電力容量を特定するための方法と装置を提供する。最大電力容量とは、非接触送電における送電機器または受電機器によりサポートされる最大電力のことをいう。最新のＱＩ通信規格によれば、既定の電力容量、即ち、サポートされる最大電力の既定値は５Ｗに設定される。本明細書で開示する方法と装置により、送電機器および受電機器は互いの最大電力容量を特定することができる。したがって、送電機器および受電機器は、特定した最大電力容量に基づいて非接触送電に対する電力容量を構成することができる。さらに、本明細書で開示する方法と装置はまた、ＱＩ通信規格のような既存の非接触送電標準をサポートし、したがって、既定の電力容量が５Ｗである任意のＱＩ互換の送電機器または受電機器と互換性を有する。１例では、本明細書で開示する方法と装置により、最大電力容量が１０Ｗの送電機器が、最大電力容量が５Ｗの受電機器に５Ｗの電力容量で電力を送電することができる。別の例では、本明細書で開示する方法と装置により、最大電力容量が５Ｗの送電機器が、最大電力容量が１０Ｗの受電機器に５Ｗの電力容量で電力を送電することができる。さらに別の例では、本明細書で開示する方法と装置により、最大電力容量が１０Ｗの送電機器が、最大電力容量が１０Ｗの受電機器に１０Ｗの電力容量で電力を送電することができる。
【００１８】
さらなる利点および新規な特徴は、以下の説明から部分的に示され、以下のおよび添付の図面を検討することで当業者に明らかになり、または、当該例を製造または実施することにより理解することができる。
【００１９】
図１は、本発明の１実施形態に従う非接触送電のシステム１００の１例を示す。システム１００は、受電機器１０２および送電機器１０４を備えた任意の適切な非接触送電システムであってもよい。電力１３０は、任意の既知の機構により、非接触で送電機器１０４から受電機器１０２へ送電される。当該機構には、磁気共鳴誘導、電磁放射、または電気伝導があるがこれらに限られない。同じ送電機構を、電圧、周波数、またはデューティ・サイクルのような電力に関連する任意のパラメータを所望のレベルに調節するための制御情報を受電機器１０２から送電機器１０４に送信するために使用してもよい。１例では、ＱＩ通信規格のような既存の標準と互換性のある標準的なパケットを介して当該制御情報を送信してもよい。別の例では、当該制御情報を、送電機器１０４と受電機器１０２の両方が合意した専用パケット１４０を介して送信してもよい。当該専用パケット１４０が、既存の標準に含まれていなくともよい。
【００２０】
本例では、受電機器１０２は装置の一部であってもよい。当該装置は任意の適切な電子機器であってもよい。当該電子機器には、ラップトップ・コンピュータ、ノートブック・コンピュータ、デジタル・カメラ、デジタル・カムコーダ、ハンドヘルド機器（例えば、ダム・フォンまたはスマート・フォン、タブレット、等）、ゲーム・コンソール、セットトップ・ボックス、音楽プレーヤ、ＧＰＳ（ｇｌｏｂａｌ  ｐｏｓｉｔｉｏｎｉｎｇ  ｓｙｓｔｅｍ）、または他の任意の適切な機器があるがこれらに限られない。他の例では、受電機器１０２は電力を負荷に提供するためのディスクリート電子機器であってもよい。
【００２１】
本例では、受電機器１０２は、受電ユニット１１０、構成ユニット１１２、読取りユニット１１４、特定ユニット１１６、および通信ユニット１１８を備える。受電ユニット１１０は、非接触で電力を送電機器１０４から受電するように構成される。構成ユニット１１２は、受電ユニット１１０に動作可能に接続され、非接触送電に対して受電機器１０２側で電力容量を構成するように構成される。１例では、構成ユニット１１２は、受電機器１０２と送電機器１０４の両方に既知の既定の電力容量に基づいて電力容量を構成してもよい。当該既定の電力容量が、５Ｗまでの送電をサポートする最新のＱＩ通信規格と互換性を有してもよい。別の例では、構成ユニット１１２が送電機器１０４の最大電力容量に基づいて電力容量を構成してもよい。送電機器１０４の最大電力容量が既定の電力容量より大きくてもよい。読取りユニット１１４は、受電ユニット１１０に動作可能に接続され、電力１３０に関連付けられた依存パラメータの第１の値と第２の値を読み取るように構成される。依存パラメータは、送電機器１０４が調節可能な独立パラメータに従って変化する。特定ユニット１１６は、構成ユニット１１２と読取りユニット１１４に動作可能に接続される。特定ユニット１１６は、少なくとも第１の値、第２の値、および所定の閾値に基づいて送電機器１０４の最大電力容量を特定するように構成される。通信ユニット１１８は、構成ユニット１１２と受電ユニット１１０に動作可能に接続される。通信ユニット１１８は、制御情報を送電機器１０４に送信するように構成される。制御情報を、ＱＩ通信規格のような通信規格に従って、例えば送電に使用される同一の電磁気結合機構により送信してもよい。本例では、当該制御情報は、送電機器１０４と受電機器１０２が合意した専用パケット１４０を介して送信される。
【００２２】
送電機器１０４は、非接触で電力を受電機器１０２に提供するための任意の適切な基地局であってもよい。本例では、送電機器１０４は、送電ユニット１２０、制御ユニット１２６、および通信ユニット１２８を備える。送電ユニット１２０は、非接触で電力１３０を受電機器１０２に送信するように構成される。通信ユニット１２８は、送電ユニット１２０に動作可能に接続され、本例では専用パケット１４０を介して受電機器１０２から制御情報を受信するように構成される。制御ユニット１２６は、送電ユニット１２０と通信ユニット１２８に動作可能に接続される。制御ユニット１２６は、調節用の専用パケットを受電機器１０２から受信すると、当該調節用の当該専用パケットの内容に基づいて独立パラメータを調節するように構成される。
【００２３】
本例では、送電機器１０４と受電機器１０２の間の初期通信が確立された後、先ず受電機器１０２の構成ユニット１１２が受電機器１０２で既定の電力容量を構成する。次いで受電機器１０２の読取りユニット１１４が、電力１３０に関連付けられた依存パラメータの第１の値を読み取る。依存パラメータは、送電機器１０４が調節可能な独立パラメータに従って変化する。次いで、受電機器１０２の通信ユニット１１８が調節用の専用パケットを送電機器１０４に送信する。送電機器１０４の通信ユニット１２８が調節用の専用パケットを受信すると、送電機器１０４の制御ユニット１２６が送電ユニット１２０を制御して調節用の専用パケットの内容に基づいて独立パラメータを調節する。当該独立パラメータは、送電される電力１３０に関連付けられる。次いで、受電機器１０２の読取りユニット１１４が依存パラメータの第２の値を読み取る。依存パラメータの第２の値は、独立パラメータの調節に従って変化する。第１の値と第２の値が利用可能になると、特定ユニット１１６は少なくとも第１の値、第２の値、および所定の閾値に基づいて送電機器１０４の最大電力容量を特定する。
【００２４】
図２は、本発明の１実施形態に従う受電機器１０２の１例を示す。本例では、受電機器１０２は、コイル２０２および整流器２０４を有する受電ユニット１１０を備える。本例では、コイル２０２は、その共鳴回路により磁界を受信し当該磁界をＡＣ電圧信号に変換する役割を担う。整流器２０４は、ＡＣ電圧信号をＤＣ電圧信号に変換するように構成される。ＡＤＣモニタ２０６を使用して、受電した電力１３０に関連する任意の適切な電気パラメータ、例えば、電圧、電流、または電力を検出して、当該パラメータを読取りユニット１１４に提供してもよい。読取りユニット１１４に提供された電気パラメータが、送電機器１０４が調節可能な独立パラメータに従って変化する依存パラメータであってもよい。独立パラメータは、電圧、周波数、またはデューティ・サイクルであってもよい。本例では、受電機器１０２は、コイル２０２を有する通信ユニット１１８も備える。１例では、通信ユニット１１８は、送電機器１０４に受電機器１０２の最大電力容量を通知する専用パケットを送電機器１０４に送信するように構成される。
【００２５】
本例では、受電機器１０２はまた、読取りユニット１１４と通信ユニット１１８に動作可能に接続されたタイマ２０８を備える。本例では、読取りユニット１１４が依存パラメータの第１の値を読み取った後、通信ユニット１１８はタイマ２０８が制御する期間内に調節用の専用パケットを送電機器１０４に送信する。タイマ２０８が当該期間だけ遅延した後、読取りユニット１１４が依存パラメータの第２の値を読み取る。当該期間の間に、独立パラメータが送電機器１０４によって調節されている。
【００２６】
本例では、受電機器１０２はまた、プロセッサ２１０と、比較ユニット２１２と、決定ユニット２１４とを備えた特定ユニット１１６を備える。本例では、読取りユニット１１４が依存パラメータの第１の値と第２の値を読み取った後、プロセッサ２１０が関数の出力を計算する。当該関数は、少なくとも当該第１の値と第２の値から成る入力を有する。次いで、比較ユニット２１２が、当該出力を所定の閾値と比較し、出力を決定ユニット２１４に提供する。決定ユニット２１４は、比較ユニット２１２の出力に少なくとも基づいて、送電機器１０４の最大電力容量２１５を決定することができる。別の例では、決定ユニット２１４が最大電力容量２１５を比較ユニット２１２に提供してもよい。比較ユニット２１２は、最大電力容量２１５を既定の電力容量２２１と比較する。最大電力容量２１５が既定の電力容量２２１より大きい場合、構成ユニット１１２は受電機器１０２の電力容量を最大電力容量２１５に基づいて構成し、通信ユニット１１８が確認用の専用パケットと誤り制御用の専用パケットを送電機器１０４に送信する。
【００２７】
１例では、図９に示すように、特定ユニット１１６を１つまたは複数のプロセッサ２１０およびメモリ９０２により実装してもよい。本例では、ソフトウェア・プログラムおよびデータを、メモリ９０２にロードしてプロセッサ２１０により実行してもよい。プロセッサ２１０は任意の適切な処理装置であってもよく、当該処理装置には、マイクロプロセッサ、マイクロコントローラ、中央演算装置、電子制御ユニット、等があるがこれらに限られない。メモリ９０２は、例えば、ディスクリート・メモリ、または、プロセッサ２１０に統合されたユニファイド・メモリであってもよい。当該データは、例えば、依存パラメータの第１の値９０４および第２の値９０６、ならびに所定の閾値９０８を含む。１例では、依存パラメータはＤＣ電圧であり、所定の閾値は第１の値と第２の値の関数に基づいて設定される。
【００２８】
図３は、本発明の１実施形態に従う送電機器１０４の１例を示す。本例では、送電機器１０４は、ＰＷＭ周波数ユニット３０２およびコイル３０４を有する送電ユニット１２０と、制御ユニット１２６と、コイル３０４を有する通信ユニット１２８とを備える。通信ユニット１２８は、受電機器１０２から専用パケットを受信する役割を担う。受信した調節用の専用パケットの内容に基づいて、制御ユニット１２６は対応する独立パラメータを調節するように構成される。１例では、独立パラメータはＰＷＭ周波数３０３であり、制御ユニット１２６はＰＷＭ周波数ユニット３０２を制御して周波数３０３を所望のレベルに調節するように構成される。ＰＷＭ周波数ユニット３０２は、ＤＣ電圧信号をＡＣ電圧信号に変換する役割を担い、コイル３０４は、ＡＣ電圧信号の電界を磁界に変換する役割を担う。本例では、送電機器はまた、構成ユニット３０６と分析ユニット３０８を備える。本例では、確認用の専用パケットが通信ユニット１２８によって受信された場合、構成ユニット３０６は送電機器１０４の最大電力容量に基づいて電力容量を構成してもよい。確認用の専用パケットが通信ユニット１２８によって受信されない場合には、構成ユニット３０６は既定の電力容量に基づいて電力容量を構成してもよい。次いで、送電ユニット１２０は、構成された電力容量で電力１３０を受電機器１０２に非接触で送電する。また、誤り制御用の専用パケットが通信ユニット１２８により受信された場合には、分析ユニット３０８が誤り制御用の専用パケットを分析してもよい。ＡＤＣモニタ３１０を送電機器１０４に含めて、電圧および電流のような種々のレベルの電気パラメータをパラメータ調節のために制御ユニット１２６に提供し、電力容量構成のために構成ユニット３０６に提供し、パケット分析のために分析ユニット３０８に提供してもよい。
【００２９】
図４は、本発明の１実施形態に従う非接触送電の１例を示すタイムライン・チャートである。最初に、送電機器１０４と受電機器１０２の間の通信が、既定の電力容量（Ｃ＿ＤＥＦ）および既定の周波数で確立される。ＱＩ通信規格によれば、当該既定の電力容量は５Ｗであり、当該既定の周波数は１７５ｋＨｚである。初期通信が確立されると、受電機器１０２が、電力に関連付けられた依存パラメータの第１の値、例えば出力電圧を読み取る。受電した電力の出力電圧は独立パラメータ、例えばＰＷＭ周波数に従って変化することが知られている。ＰＷＭ周波数が高ければ高いほど、出力電圧は低くなる。本例では、受電機器１０２が送信した調節用の専用パケット（Ｐ＿ＡＤＪ）を受信した後、送電機器１０４は或る期間内でＰＷＭ周波数を既定の周波数である１７５ＫＨｚとは異なる目標レベルに調節する。１例では、目標周波数レベルは既定の周波数、例えば、１６０ｋＨｚより低い。別の例では、目標周波数レベルは既定の周波数、例えば、１９０ｋＨｚより大きい。受電機器１０２は当該期間だけ遅延し、次いで依存パラメータの第２の値、即ち本例では出力電圧を読み取る。
【００３０】
次いで受電機器１０２が最大電力容量（Ｃ＿ＭＡＸ）を特定し、それをＣ＿ＤＥＦと比較する。上述の例では、送電機器１０４は負荷駆動容量が比較的高い装置、例えば、Ｃ＿ＭＡＸが１０Ｗである送電機器であってもよい。本例では、受電機器１０２が以下のようにＣ＿ＭＡＸを特定してもよい。先ず、受電機器１０２が２つの出力電圧値から成る関数を計算する。当該関数の出力が、当該２つの値の差分の絶対値であってもよい。当該出力を受電機器１０２により所定の閾値と比較する。当該閾値は、ＰＷＭ周波数の所与の調整に従う出力電圧の所望の変化、例えば、１７５ｋＨｚから１６０ｋＨｚへの変化に対応してもよい。次いで、受電機器１０２が比較結果に基づいてＣ＿ＭＡＸを決定する。例えば、電圧差分の絶対値が閾値未満である場合、Ｃ＿ＭＡＸをＣ＿ＤＥＦと同じ値、例えば最新のＱＩ通信規格では５Ｗであると特定してもよい。この理由は、ＱＩ通信規格に基づくＰＷＭ周波数が１７５ｋＨｚに固定され、したがって対応する出力電圧変化があまり大きくないからである。他方、電圧差分の絶対値が閾値より大きい場合は、Ｃ＿ＭＡＸをＣ＿ＤＥＦより大きい値、例えば１０Ｗであると特定してもよい。
【００３１】
本例では、Ｃ＿ＭＡＸがＣ＿ＤＥＦより大きい場合は、確認用の専用パケット（Ｐ＿ＡＣＫ）が受電機器１０２から送電機器１０４に送信される。次いで、送電機器１０４と受電機器１０２の両方がＣ＿ＭＡＸに基づいて電力容量を構成する。次いで、当該電力が送電機器１０４から受電機器１０２に、電力容量Ｃ＿ＭＡＸに対応する周波数で送電される。次いで、受電機器１０２が定期的に誤り制御用の専用パケット（Ｐ＿ＥＣ）を送電機器１０４に送信し、送電機器１０４がＰ＿ＥＣを分析して誤り制御用のデータを取得する。
【００３２】
専用パケットまたはＱＩ通信規格に従う標準パケットの何れかを送信することによって、受電機器１０２が送電機器１０４に受電機器１０２の最大電力容量を通知してもよいことは理解される。その結果、受電機器１０２と送電機器１０４が互いの非接触送電の最大電力容量を知る。
【００３３】
図５は、本発明の１実施形態に従う非接触送電の別の例を示すタイムライン・チャートである。本例では、送電機器１０４は、負荷駆動容量が比較的低い装置、例えば、ＱＩ互換の５Ｗの送電機器であってもよい。本例では、受電機器１０２が特定したＣ＿ＭＡＸがＣ＿ＤＥＦより大きくなくともよい。その結果、送電機器１０４がＰ＿ＡＣＫを受電機器１０２から受信しなくともよい。次いで、送電機器１０４と受電機器１０２の両方がＣ＿ＤＥＦに基づいて電力容量を構成するかまたは保つ。次いで電力が、送電機器１０４から受電機器１０２に電力容量Ｃ＿ＤＥＦに対応する周波数で送電される。
【００３４】
電力容量がＣ＿ＤＥＦより大きくない場合には、受電機器１０２は専用パケットを送信する必要はなく、ＱＩ通信規格に従う誤り制御パケットを含む標準パケットを送信してもよいことは理解される。したがって、受電機器１０２はＣ＿ＤＥＦとＣ＿ＤＥＦより大きいＣ＿ＭＡＸとの両方により非接触送電をサポートしてもよい。そうすることにより、受電機器１０２は、依然としてＱＩ通信規格のような既存の標準との互換性を有しつつ、広範囲の電力容量で適合的に電力を受電することができる。より一般には、本発明の諸実施形態により、高Ｃ＿ＭＡＸ送電器と低Ｃ＿ＤＥＦ受電器の間、低Ｃ＿ＤＥＦ送電器と高Ｃ＿ＭＡＸ受電器の間、および高Ｃ＿ＭＡＸ送電器と高Ｃ＿ＭＡＸ受電器の間の互換性のある非接触送電が可能となる。幾つかの実施形態によれば、受電器は、Ｃ＿ＤＥＦより大きい電力容量をサポートすることができず、または、当該電力容量をサポートするようには構成されない。この状況では、対応する送電器にはＰ＿ＡＤＪが送信されず、非接触電力を送電器から受電器に既定の電力容量Ｃ＿ＤＥＦで送電してもよい。
【００３５】
図６は、本発明の１実施形態に従う非接触送電の方法の１例を示す。当該方法を以上の図面を参照して説明する。しかし、任意の適切なユニットを使用してもよい。ブロック６０２から開始して、電力容量が、受電機器１０２と送電機器１０４の両方に既知の既定の電力容量に基づいて受電機器１０２側で構成される。ブロック６０４に進み、依存パラメータの第１の値を読み取る。当該依存パラメータは、送電機器１０４が調節可能な独立パラメータに従って変化する。ブロック６０６に移り、独立パラメータが送電機器１０４により調節された後、依存パラメータの第２の値を読み取る。ブロック６０８に関して、少なくとも第１の値、第２の値、および所定の閾値に基づいて、送電機器１０４の最大電力容量を特定する。次いでブロック６１０で、電力を送電機器１０４から受電する。上述のように、ブロック６０２乃至６１０を受電機器１０２により実施してもよい。
【００３６】
図７は、本発明の１実施形態に従う非接触送電の方法の別の例を示す。当該方法を以上の図面を参照して説明する。しかし、任意の適切なユニットを使用してもよい。非接触送電は特定および構成段階で開始する。ブロック７０２から開始して、電力容量が、受電機器１０２と送電機器１０４の両方に既知の既定の電力容量Ｃ＿ＤＥＦに基づいて受電機器１０２側で構成される。上述のように、これを受電機器１０２の構成ユニット１１２で実施してもよい。ブロック７０４に移り、依存パラメータの第１の値を読み取る。依存パラメータには例えば、電圧、電流、および電力が含まれ、依存パラメータは送電機器１０４が調節可能な独立パラメータに従って変化する。独立パラメータには、例えば、電圧、周波数、およびデューティ・サイクルが含まれる。この時点で、受電機器１０２は、送電機器１０４に受電機器１０２の最大電力容量（図７では図示せず）を通知するための標準パケットまたは専用パケットを送電機器１０４に送信してもよい。ブロック７０６で、調節用の専用パケットＰ＿ＡＤＪを送電機器１０４に送信し、読取動作が或る期間だけ遅延する。２つの連続パケットの間の期間は０から２１ｍｓに設定される。したがって本例では、Ｐ＿ＡＤＪの送信後の遅延期間は約１０ｍｓでありうる。この１０ｍｓの間に、送電機器１０４がＰ＿ＡＤＪの内容に基づいて独立パラメータ（例えば、周波数）を調節する。そしてブロック７０８で、依存パラメータの第２の値を当該遅延の後に読み取る。上述のように、ブロック７０４、７０６、および７０８を、受電機器１０２の通信ユニット１１８およびタイマ２０８と連動して読取りユニット１１４により実施してもよい。幾つかの実施形態によれば、受電機器１０２は、Ｃ＿ＤＥＦより大きい電力容量をサポートすることができず、または、当該電力容量をサポートするようには構成されない。この状況では、受電機器１０２はＰ＿ＡＤＪを送電機器１０４に送信しなくともよく、依存パラメータの値を読み取る必要はない。したがって、非接触電力を送電機器１０４から受電機器１０２へ既定の電力容量Ｃ＿ＤＥＦで送電してもよい。
【００３７】
ブロック７１０に移り、関数の出力を計算する。当該関数は、少なくとも第１の値と第２の値から成る入力を有する。ブロック７１２で、当該出力を所定の閾値と比較する。次いで、ブロック７１４で、送電機器１０４の最大電力容量Ｃ＿ＭＡＸを少なくとも７１２の比較結果に基づいて決定し、既定の電力容量Ｃ＿ＤＥＦと比較する。図７では図示していない１例では、第２のＰ＿ＡＤＪを送電機器１０４に送信してもよい。したがって、依存パラメータの第３の値を読み取ってもよい。３つの値から成る出力と２つの出力で関数を計算してもよく、これらを２つの所定の閾値と比較してもよい。そして、Ｃ＿ＭＡＸを２つの比較結果に基づいて決定してもよい。１つの具体的な例では、独立パラメータが送電機器１０４の周波数であってもよく、当該周波数は最初に既定値である１７５ｋＨｚに設定され、次いで２つのＰ＿ＡＤＪの内容に基づいて１６０ｋＨｚと１９０ｋＨｚに調節される。依存パラメータは受電機器１０２の出力電圧であってもよく、当該出力電圧は上記周波数に従って変化する。上述のように、ブロック７１０、７１２、および７１４を受電機器１０２の特定ユニット１１６内のプロセッサ２１０、比較ユニット２１２、および決定ユニット２１４によって実施してもよい。
【００３８】
ブロック７１６で、Ｃ＿ＭＡＸがＣ＿ＤＥＦより大きいかどうかを判定する。これを、受電機器１０２の比較ユニット２１２または別の比較ユニットにより実施してもよい。Ｃ＿ＭＡＸがＣ＿ＤＥＦより大きい場合には、プロセスはブロック７１８へ続き、そこで電力がＣ＿ＭＡＸに基づいて構成される。上述のように、これを受電機器１０２の構成ユニット１１２により実施してもよい。ブロック７２０で、Ｃ＿ＭＡＸの決定とＣ＿ＭＡＸに基づく構成を送電機器に確認するための確認用の専用パケット（Ｐ＿ＡＣＫ）が送信される。これを通信ユニット１１８により実施してもよい。この特定および構成段階を、ＱＩ通信規格に従って構成パケットを送信すること（図７では図示せず）により終了させてもよい。
【００３９】
ブロック７２２に移り、非接触送電が送電段階に入る。電力は、受電機器１０２側により電力容量Ｃ＿ＭＡＸで受信され、誤り制御用の専用パケット（Ｐ＿ＥＣ）が送電機器１０４に送信される。上述のように、これを受電機器１０２の通信ユニット１１８と連動して受電ユニット１１０により実施してもよい。様々な実施形態によれば、より多くの専用パケットを定期的に送電段階で送信してもよい。
【００４０】
例えば、ＱＩ通信規格に従うフォーマットの様々なパケットのリストが図１０に示されている。図１０の表は、様々なパケットに対するヘッダを示す列１００２、対応するパケットに対するパケット・タイプを示す列１００４、メッセージ・サイズを対応するパケットの単位としてバイトで示す列１００６を含む。パケットのヘッダを分析すると、対応するパケット・タイプおよびパケットのメッセージ・サイズを特定することができる。ＱＩ通信規格で定義された標準的なパケットが存在する。当該パケットには、例えば、特定および構成段階における０ｘ５１の構成パケットおよび送電段階における０ｘ０３の誤り制御パケットがある。列１００４に示す専用とは、専用パケットを示し、特定の例では拡張された定義を有してもよく、特定および構成段階と送電段階の両方で使用してもよい。本例では、０ｘ１８を特定および構成段階におけるＰ＿ＡＤＪに使用してもよく、０ｘ１９を特定および構成段階におけるＰ＿ＡＣＫに使用してもよく、０ｘ０３を誤り制御値０に保ちつつ０ｘ１９を送電段階におけるＰ＿ＥＣに使用してもよい。
【００４１】
他方、ブロック７１６でＣ＿ＭＡＸがＣ＿ＤＥＦより大きくない場合には、プロセスはブロック７３０に行き、非接触送電が送電段階に入り、電力を電力容量Ｃ＿ＤＥＦで受電する。上述のようにこれを受電機器１０２の受電ユニット１１０により実施してもよい。
【００４２】
図８は、本発明の１実施形態に従う非接触送電の方法のさらに別の例を示す。当該方法を以上の図面を参照して説明する。しかし、任意の適切なユニットを使用してもよい。ここでも、非接触送電は特定および構成段階で開始する。ブロック８０２で、受電機器１０２のＣ＿ＭＡＸを受信する。これを送電機器１０４の通信ユニット１２８により実施してもよい。ブロック８０４に移り、Ｃ＿ＤＥＦに基づいて電力容量を構成する。上述のように、これを送電機器１０４の構成ユニット３０６により実施してもよい。ブロック８０６で、電力容量Ｃ＿ＤＥＦに基づいて決定した周波数で電力を受電機器１０２に送電する。上述のように、これを送電機器１０４の送電ユニット１２０により実施してもよい。次いで、ブロック８０８で、専用パケットＰ＿ＡＤＪを送電機器１０４で受信する。これを、ＡＤＣモニタ３１０と連動して通信ユニット１２８により実施してもよい。ブロック８１０に移り、独立パラメータをＰ＿ＡＤＪの内容に基づいて調節する。当該独立パラメータは、電圧、周波数、または周波数のデューティ・サイクルであってもよい。上述のように、これを送電機器１０４の送電ユニット１２０内のＰＷＭ周波数ユニット３０２と連動して制御ユニット１２６により実施してもよい。
【００４３】
ブロック８１０に移り、専用パケットＰ＿ＡＣＫが受信されたかどうかを判定する。これを、送電機器１０４のＡＤＣモニタ３１０と連動して制御ユニット１２６により実施してもよい。Ｐ＿ＡＣＫが受信された場合、プロセスはブロック８１４に続き、送電機器１０４のＣ＿ＭＡＸに基づいて電力容量を構成する。上述のように、これを送電機器１０４の構成ユニット３０６により実施してもよい。ブロック８１６に移り、非接触送電が送電段階に入る。電力が、受電機器１０２に電力容量Ｃ＿ＭＡＸで送電される。これを、送電機器１０４の送電ユニット１２０により実施してもよい。次いでブロック８１８で、専用パケットＰ＿ＥＣが送電機器１０４で受信されて分析される。上述のように、これを送電機器１０４の通信ユニット１２８およびＡＤＣモニタ３１０と連動して分析ユニット３０８により実施してもよい。
【００４４】
他方、Ｐ＿ＡＣＫがブロック８１２で受信されない場合は、プロセスはブロック８３０に行き、非接触送電が送電段階に入り、電力が電力容量Ｃ＿ＤＥＦで送電される。上述のように、これを送電機器１０４の送電ユニット１２０により実施してもよく、構成ユニット３０６および制御ユニット１２６と連動して実施してもよい。
【００４５】
上で概観した非接触送電の方法の諸態様をプログラミングで具体化してもよい。本技術のプログラムの諸態様を、「製品」とみなすことができる。当該製品は一般に、ある種の機械読取可能媒体で運搬または具体化される実行可能コードおよび／または関連データの形である。有形の非一時的な「記憶」タイプの媒体には、様々な半導体メモリ、テープ・ドライブ、ディスク・ドライブ等のような、コンピュータ、プロセッサ等に対する任意もしくは全てのメモリまたは他の記憶部、または、それらの関連モジュールが含まれ、任意の時点でコンピュータ実行型の方法を記憶することができる。
【００４６】
コンピュータ実行型の方法の全部または一部を、インターネットまたは他の様々な電気通信ネットワークのようなネットワークを介して時々通信してもよい。かかる通信により、例えば、ソフトウェアをあるコンピュータまたはプロセッサから別のコンピュータまたはプロセッサへロードしてもよい。したがって、コンピュータ実行型の方法の要素を有しうる別の種類の媒体には、ローカル・デバイス間の物理インタフェースにわたって、有線の光地上線ネットワークを通じて、および様々な無線接続を介して用いられるような光波、電波、および電磁波が含まれる。有線接続または無線接続、光接続等のような、かかる波を運ぶ物理要素を、コンピュータ実行型の方法を有する媒体とみなしてもよい。本明細書で使用する際、有形の「記憶」媒体に限定しない限り、コンピュータまたは機械「読取可能媒体」のような用語は、命令をプロセッサに提供して実行することに関与する任意の媒体を指す。
【００４７】
したがって、機械読取可能媒体は多数の形態をとってもよく、当該形態には、有形の記憶媒体、搬送波媒体、または物理送信媒体が含まれるがこれらに限られない。不揮発性の記憶媒体には、例えば、任意のコンピュータ（複数可）内の任意の記憶装置等のような、光ディスクまたは磁気ディスクが含まれ、図で示したシステムまたはその任意の構成要素を実装するために使用することができる。揮発性の記憶媒体には、コンピュータ・プラットフォームの主記憶のような動的メモリが含まれる。有形の送信媒体には、同軸ケーブルが含まれ、コンピュータ・システム内部のバスを形成する線を含めて、銅線および光ファイバが含まれる。搬送波送信媒体は、電気信号もしくは電磁信号、または、無線周波数（ＲＦ）および赤外線（ＩＲ）データ通信の最中に生成されるもののような音波もしくは光波の形態をとることができる。したがって、コンピュータ−読取可能媒体の一般的な形態には、例えば、フロッピ・ディスク、フレキシブル・ディスク、ハード・ディスク、磁気テープ、他の任意の磁気媒体、ＣＤ−ＲＯＭ、ＤＶＤもしくはＤＶＤ−ＲＯＭ、他の任意の光媒体、パンチ・カード、紙テープ、パターンまたは穴を有する他の任意の物理記憶媒体、ＲＡＭ、ＰＲＯＭおよびＥＰＲＯＭ、ＦＬＡＳＨ−ＥＰＲＯＭ、他の任意のメモリ・チップもしくはカートリッジ、データもしくは命令を送信する搬送波、搬送波を伝送するケーブルもしくはリンク、またはコンピュータがそこからプログラミング・コードおよび／もしくはデータを読み取ることができる他の任意の媒体が含まれる。コンピュータ読取可能媒体のこれらの形態の多くが、プロセッサが実行するための１つまたは複数の命令からなる１つまたは複数のシーケンスを運搬することに関与してもよい。
【００４８】
本発明を様々に修正および／または改良してもよいことは当業者に理解される。例えば、上述の様々な構成要素の実装をハードウェア装置で具体化してもよいが、ファームウェア、ファームウェア／ソフトウェアの組合せ、ファームウェア／ハードウェアの組合せ、またはハードウェア／ファームウェア／ソフトウェアの組合せで実装することもできる。
【００４９】
以上の説明および図面は本発明の諸実施形態を表現するが、添付の特許請求の範囲で定義される本発明の原理の趣旨および範囲から逸脱しない様々な追加、修正、および置換を当該諸実施形態において行ってもよいことは理解される。本発明を、形態、構造、配置、比率、材料、要素、および構成要素を任意に修正して使用してもよく、または、本発明の実施において使用してもよく、当該修正は、本発明の原理から逸脱せずに具体的な環境と動作要件に対して特に適合されるものである。したがって、本明細書で開示した諸実施形態は、全ての点で例示的であって限定的ではなく、本発明の範囲は、添付の特許請求の範囲とその法的な均等物により示され、以上の説明には制限されない。
【符号の説明】
【００５０】
１０２  受電機器
１０４  送電機器
１１０  受電ユニット
１１２  構成ユニット
１１４  読取りユニット
１１６  特定ユニット
１１８  通信ユニット
１２０  送電ユニット
１２６  制御ユニット
１２８  通信ユニット
１３０  電力
１４０  専用パケット
【図１】
2014093940.tif 000003
【図２】
2014093940.tif 000004
【図３】
2014093940.tif 000005
【図４】
2014093940.tif 000006
【図５】
2014093940.tif 000007
【図６】
2014093940.tif 000008
【図７】
2014093940.tif 000009
【図８】
2014093940.tif 000010
【図９】
2014093940.tif 000011
【図１０】
2014093940.tif 000012